(57)【要約】      （修正有）【課題】一本で複数の色による筆記を行い得る筆記具において互いのインキが干渉し合うことを有効に回避した筆記具を提供する。【解決手段】互いに異なる色を呈するインキを含浸させた単一の先端部を構成する複数の芯体２と、複数の芯体の先端部同士に介在する遮蔽板１１とを具備してなる筆記具であって、複数の芯体が遮蔽板から正面視において先端を含む一部が迫り出した形状を有するとともに、遮蔽板における芯体の先端部同士に介在する部分の正面視形状を入り隅及び出隅を形成しない形状としている。【選択図】図２
2015104814.tif 000002
【特許請求の範囲】
【請求項１】
互いに異なる色を呈するインキを含浸させた単一の先端部を構成する複数の芯体と、前記複数の芯体の先端部同士に介在する遮蔽板とを具備してなる筆記具であって
前記複数の芯体が前記遮蔽板から正面視において先端を含む一部が迫り出した形状を有するとともに、前記遮蔽板における前記芯体の先端部同士に介在する部分の正面視形状を入り隅及び出隅を形成しない形状としていることを特徴とする筆記具。
【請求項２】
前記遮蔽板における前記芯体の先端部同士に介在する部分の正面視形状が、部分円弧状である請求項１記載の筆記具。
【請求項３】
前記遮蔽板における前記芯体の先端部同士に介在する部分の正面視形状が、楕円形状をなしている請求項２記載の筆記具。
【請求項４】
前記遮蔽板における前記芯体の先端部同士に介在する部分の正面視形状が、部分円弧状をなす円弧領域と、この円弧領域の縁部に対し接線状に連続する直線領域とを有するものである請求項１記載の筆記具。
【請求項５】
前記芯体が、基端側において前記遮蔽板に密着した密着部と、先端側において前記遮蔽板から離間した離間部とを有している請求項１、２、３又は４記載の筆記具。
【請求項６】
前記遮蔽板が、前記複数の芯体を支持する軸筒に一体に形成されている請求項１、２、３、４又は５記載の筆記具。
【発明の詳細な説明】
【技術分野】
【０００１】
本発明は、筆記具に係るものであり、特に、複数の色のインキをそれぞれ含浸させた複数の芯体により単一の先端部を形成し、任意の色を用いて筆記を行い得る筆記具に関するものである。
【背景技術】
【０００２】
従来、複数の色のインキをそれぞれ含浸させた複数の芯体を離間させて保持することにより同じ側に先端側いわゆるペン先を形成し、筆記時の向きを調整することにより任意の色を用いて筆記を行い得る筆記具が提案されている。このような筆記具は、本来であれば使用者が所望の色の数と同じ本数の筆記具を備えることを回避し、所持携帯する筆記具の総本数を減らすことができるという利点を使用者に供している。斯かる構成をなす筆記具は、複数の芯体間に遮蔽板を設けることによって、一方の芯体に含浸させたインキが他方の芯体側に移動することを回避しようとしている(例えば、特許文献１及び特許文献２参照)。またこのような筆記具は、加えて複数の芯体の先端同士の相対位置が遮蔽板よりも迫り出した位置で固定されているため、複数の色の筆記を同じ形状にて行うことができるという利点も有している。
【０００３】
しかしながら、これら筆記具において、輸送時の衝撃や、長時間一定の角度・傾きで保管されるときに、局所的にインキが不要にしみ出し、他方の芯体側に含浸されてしまったり色が異なるインキ同士が混合したりしてしまい、一方又は両方のインキの色彩が干渉され変化してしまうという不具合を招来し得るものであった。
【先行技術文献】
【特許文献】
【０００４】
【特許文献１】実開昭４９−１４４３３２号公報
【特許文献２】実開昭６１−３９５８３号公報
【発明の概要】
【発明が解決しようとする課題】
【０００５】
本発明は、このような不具合に着目したものであり、一本で複数の色による筆記を行い得る筆記具において互いのインキが干渉し合うことを有効に回避した筆記具を提供することを目的としている。
【課題を解決するための手段】
【０００６】
本発明は、このような目的を達成するために、次のような手段を講じたものである。
【０００７】
すなわち本発明に係る筆記具は、互いに異なる色を呈するインキを含浸させた単一の先端部を構成する複数の芯体と、前記複数の芯体の先端部同士に介在する遮蔽板とを具備してなる筆記具であって、前記複数の芯体が前記遮蔽板から正面視において先端を含む一部が迫り出した形状を有するとともに、前記遮蔽板における前記芯体の先端部同士に介在する部分の正面視形状を入り隅及び出隅を形成しない形状としていることを特徴とする。
【０００８】
すなわち本発明は、芯体のうち遮蔽板から迫り出した箇所が筆記時等に遮蔽板の縁部に圧迫されるとき、入隅及び出隅の箇所において局所的に強く圧迫されることによりインキがしみ出すという点に、本願発明者らが初めて着目することにより実現し得たものである。
【０００９】
このようなものであれば、輸送時の衝撃や、長時間一定の角度・傾きで保管されるときでも局所的にインクがしみ出してしまう不具合を有効に回避することにより、インキ同士が混ざることがない。その結果。所望の色が有効に保持された状態で長期に亘って使用し得る筆記具を提供することが可能である。
【００１０】
ここで、「入隅及び出隅を形成しない形状」の一例として、前記遮蔽板の正面視形状を、部分円弧状としたものを挙げることができる。また勿論、円弧を形成する形状は真円形状に限られることはなく、楕円形状であってもよい。
【００１１】
また、「入隅及び出隅を形成しない形状」の他の例としては、前記遮蔽板の正面視形状が、部分円弧状をなす円弧領域と、この円弧領域の縁部に対し接線状に連続する直線領域とを有する態様を挙げることができる。
【００１２】
そして、使用者が所要の色を呈する芯体を用いた筆記を簡便に行い得るようにするとともに、インキ同士の混合をより有効に回避し得る態様として、前記芯体を、基端側において前記遮蔽板に密着した密着部と、先端側において前記遮蔽板から離間した離間部とを有する態様を挙げることができる。
【００１３】
また、部品点数を削減しつつ使用し易い先端部を構成するためには、前記遮蔽板を、前記複数の芯体を支持する軸筒に一体に形成しておくことが望ましい。
【発明の効果】
【００１４】
本発明によれば、一本で複数の色による筆記を行い得る筆記具において互いのインキが干渉し合うことを有効に回避した筆記具を提供することができる。
【図面の簡単な説明】
【００１５】
【図１】本発明の一実施形態に係る斜視図。
【図２】同実施形態に係る作用説明図。
【図３】同上。
【図４】同実施形態に係る部分側断面図。
【図５】同要部の正面図。
【図６】同平面図。
【図７】同実施形態の変形例に係る正面図。
【図８】同実施形態の他の変形例に係る正面図。
【発明を実施するための形態】
【００１６】
以下、本発明の一実施の形態について図面を参照して説明する。
【００１７】
本実施形態に係る筆記具の一例として示すマーカは図１〜図６に示すように、例えば、予め紙に印刷された文字を隠蔽することなく当該文字を明瞭化させる目的で使用されるものである。このマーカは、軸筒たる前筒１に２本の芯体２を保持させて当該２本の芯体２の一端側において先端部たるペン先２ａを構成するとともに、前筒１を中筒３に固定させてなるとともに、ペン先２ａの反対側において芯体２は後筒４により被覆保護されている。なお当該マーカはその他、不使用時にはペン先２ａを被覆するためのキャップを別途備えているが、当該キャップの形状及び構成は通常のものであるため図示及び説明を省略する。
【００１８】
中筒３は所謂グリップ部分を構成する、前筒１同様透明の樹脂による一体成形品である。中筒３は、使用者がマーカを持つ向きを認識し易いよう先端側を凹ませて構成した凹部３１と、後筒４に連結する連結部３２と、上記キャップ及び中筒３によりペン先２ａを密閉させるためにキャップに係り合うキャップ止め３３とを有している。インキを含浸した他端側の芯体２は、保持具５を介して後筒４によって保持し且つ被覆されてなる。なお本実施形態では前筒１及び中筒３を透明または半透明の素材により構成して芯材に含浸されているインキの色が外方からも明確に視認し得るものとしているが本実施形態では形状を明確に記載すべく各構成要素を不透明なものとして図示している。
【００１９】
そしてこのマーカは図２及び図３に示すように、使用者が筆記時に向きを適宜調整することにより、単一の芯体２により一本の線を筆記する態様の他、両芯体２を用いて同時に２本の線を筆記し得るものである。
【００２０】
ここで、本実施形態に係る筆記具たるマーカは、互いに異なる色を呈するインキを含浸させた単一のペン先２ａを構成する複数の芯体２と、前記複数の芯体２のペン先２ａ同士に介在する遮蔽板１１とを具備してなる筆記具であって、前記複数の芯体２が前記遮蔽板１１から正面視において先端２２ａを含む一部が迫り出した形状を有するとともに、前記遮蔽板１１における前記芯体２のペン先２ａ同士に介在する部分の正面視形状を入り隅及び出隅を形成しない半円形状をなすように湾曲縁１７を形成している。
【００２１】
以下、マーカの主体をなす前筒１及び芯体２の構成について、図１〜図６を参照しつつそれぞれ説明する。
【００２２】
前筒１は、図４に詳細に示すように、前記遮蔽板１１と、前筒１自体の外形をなす外筒１２と、芯体２を長手方向で支持するための支持壁１３と、この支持壁１３から先端側及び基端側において芯体２を位置決めするために平面視放射状に形成された先リブ１４及び後リブ１５とを一体に成形してなるものである。遮蔽板１１は、外筒１２の先端側及び基端側から若干寸法延出させて平板状に形成されたものであり先端側に延出する部分すなわちペン先２ａが形成される部分において芯体２に接する仕切面１６と、この仕切面１６の先端側縁部に形成された湾曲縁１７とを有している。支持壁１３には芯体２の径の形状に略合致させてなる連通孔１８が２つ形成されている。なお図４において後リブ１５を明確に図示すべく芯体２の一部の断面を切り欠いて示している。
【００２３】
芯体２は、先端側において遮蔽板１１を介して側面視並びに平面視において線対称となるように対をなした状態でそれぞれ前筒１に支持されてなるものである。これら対をなす芯体２は含浸させるインキの色を除いては全く同じ構成をなすものであるため、本実施形態では同じ符号を付して同時に説明する。この芯体２は、正面視においては対照形状をなしており、ペン先２ａを構成する、表面である外縁２０ａの一部が正面視遮蔽板１１よりも迫り出した芯材２０と、この芯材２０と前記支持壁１３近傍において連続することにより芯材２０にインキを補充するインキ補充部２１とを有している。
【００２４】
芯材２０は、インキが含浸可能な材料、例えば、ウレタン系エラストマー等の弾性変形可能な材料によって構成されてなる。この芯材２０は、外筒１２から露出する基端側において前記遮蔽板１１に密着した密着部２３と、先端側において前記遮蔽板１１から離間した離間部２２と、前記前筒１に支持される被支持部２４と、前記インキ補充部２１側に挿入される挿入部２５とを有している。密着部２３は本実施形態では円筒を半円状に分割した概略形状をなしており、前記仕切面１６に対し矩形状をなした密着面２３ａにより密着することにより、芯材２０自体を遮蔽板１１に対して位置決めしている。離間部２２は主にペン先２ａを構成してなるものであり、ペン先２ａにインキが集中しても遮蔽板１１を介してインクが乗り越えないよう遮蔽板１１から若干寸法離間させてなる。この離間部２２は、四角錐を平面視半分に分割した概略構成をなす。そして離間部２２は、外縁２０ａのうち前記部分角錐の頂点に相当する先端２２ａと、この先端２２ａに連続する稜線２２ｂ及び平坦面２２ｃと、遮蔽板１１に対向した状態で離間した離間面２２ｄとを有してなる。使用者は外縁２０ａのうち先端２２ａ、稜線２２ｂ及び平坦面２２ｃを適宜、筆記を行う対象である紙に選択的に接触させることにより所望の太さでインキを塗布すなわち筆記を行うことができる。被支持部２４は、遮蔽板１１に密着しつつ外筒１２近傍において先リブ１４に接することにより、前筒１に固定されてなる。挿入部２５は、前記連通孔１８を通過してインキ補充部２１の先端側に挿入されてなる。
【００２５】
インキ補充部２１は、支持壁１３の基端側に接した状態で遮蔽板１１に沿って延び、後端は上述した通り、保持具５を介して後筒４の後端部分に適宜固定されてなる。このインキ補充部２１は、インキを含浸可能な素材からなる保持材２６と、この保持材２６の外面を覆う透明又は半透明の樹脂によって形成されたパイプ２７とを有している。なおこのパイプ２７は後端において保持具５を介して後筒４に固定されているが、当該態様は既存の態様を種々適用し得るため、本実施形態では図示及び詳細な説明を省略する。
【００２６】
しかして本実施形態では上述の通り、前記遮蔽板１１における前記芯体２のペン先２ａ同士に介在する部分の正面視形状が「入隅及び出隅を形成しない形状」に相当する部分円弧状、具体的には半円形状としている湾曲縁１７を有している。そのため、図２及び図３に示すような筆記時に過大な筆圧が掛かったとしても芯材２０には何れも湾曲縁１７が接する。そして遮蔽板１１に芯材２０から加わる圧迫力は真円状の湾曲縁１７に沿って分散される。その結果、遮蔽板１１が局所的に芯材２０を圧迫することがない。
【００２７】
以上のような構成とすることにより、本実施形態に係る筆記具たるマーカは、輸送時の衝撃や、長時間一定の角度・傾きで保管されるときでも局所的にインクがしみ出してしまう不具合を有効に回避することにより、インキ同士が混ざることがない。その結果。所望の色が有効に保持された状態で長期に亘って使用し得る態様を実現している。
【００２８】
そして、使用者が所要の色を呈する芯体２を用いた筆記を簡便に行い得るようにするとともに、インキ同士の混合をより有効に回避するために本実施形態では、前記芯体２を、基端側において前記遮蔽板１１に密着した密着部２３と、先端側において前記遮蔽板１１から離間した離間部２２とを設けたものとしている。
【００２９】
特に本実施形態では、部品点数を削減しつつ使用し易いペン先２ａを構成するために、前記遮蔽板１１を、前記複数の芯体２を支持する軸筒に一体に作り込み、マーカ自体の強度をも有効に担保せしめている。
【００３０】
＜変形例＞
以下、本実施形態の各変形例について説明する。当該変形例において、上記実施形態の構成要素に相当するものに対しては同じ符号を付すとともに、その詳細な説明を省略する。
【００３１】
上記実施形態では、遮蔽板１１が有する「入隅及び出隅を形成しない形状」の一例として半円形状をなした態様を開示したが勿論、図７のように湾曲縁１７の形状を概略部分楕円形状としたものとしてもよい。このようなものであっても勿論、上記実施形態と同様の効果を奏する。
【００３２】
また遮蔽板１１の縁部の形状は曲線のみに限定されるものではない。すなわち図８に示すように、前記遮蔽板１１の正面視形状が、部分円弧状をなす円弧領域たる前記湾曲縁１７と、この円弧領域の縁部に対し接線状に連続する直線領域たる直線縁１９とを有するものとしてもよい。このようなものであっても、「入隅及び出隅を形成しない形状」が実現されているため、上記変形例同様、上記実施形態と同様の効果を奏する。
【００３３】
以上、本発明の実施形態について説明したが、各部の具体的な構成は、上述した実施形態のみに限定されるものではなく、本発明の趣旨を逸脱しない範囲で種々変形が可能である。
【００３４】
例えば、上記実施形態では芯材を２つ有した２色仕様の筆記具を開示した態様を開示したが、勿論、芯材を３つ以上有し、単一のペン先つまり先端部により３色以上の筆記を可能としたものであってもよい。また長手方向両端それぞれにペン先を有する態様や、芯材自体の先端形状がさらに分岐することで、互いに並行させて同一の色による線を筆記し得る態様を適用しても良い。またインキ及び芯材の素材といった具体的な態様は上記実施形態のものに限定されることはなく、既存のものを含め、種々の態様のものを適用することができる。
【００３５】
その他、各部の具体的構成についても上記実施形態に限られるものではなく、本発明の趣旨を逸脱しない範囲で種々変形が可能である。
【産業上の利用可能性】
【００３６】
本発明は複数の色のインキをそれぞれ含浸させた複数の芯体により単一の先端部を形成し、任意の色を用いて筆記を行い得る筆記具として利用することができる。
【符号の説明】
【００３７】
１…軸筒（前筒）
１１…遮蔽板
１２…外筒
１６…仕切面
１７…湾曲縁
１９…直線縁
２…芯体
２ａ…先端部（ペン先）
２０…芯材
２０ａ…外縁
２２…離間部
２３…密着部
【図１】
2015104814.tif 000003
【図２】
2015104814.tif 000004
【図３】
2015104814.tif 000005
【図４】
2015104814.tif 000006
【図５】
2015104814.tif 000007
【図６】
2015104814.tif 000008
【図７】
2015104814.tif 000009
【図８】
2015104814.tif 000010